(57)【要約】【課題】  施工時の生産能力及び取り扱い性を向上させるとともに、良好な電気特性及び適度な機械強度を維持しつつ、配線用ユニットケーブルの軽量化、低価格化を図る。【解決手段】  開示されるジョイントボックスは、複数本のケーブルの端末を回路結線した複数の結線部を収容して絶縁保護するものである。このジョイントボックスは、複数本のケーブルが挿入され、これらを整列させる複数のケーブル挿入孔３１ａが穿設されたケーブル挿入部３１と、ケーブル挿入部３１の中心に立設し、複数本のケーブルを固定させるためのケーブル固定部３２とを有するケーブルホルダー１２と、上端が塞がれ、下端が開口し、複数の結線部を収容するボックスカバーとを有している。そして、ケーブルホルダー１２を構成するケーブル挿入部３１の側面及びボックスカバーの下端近傍には、突起部３３ａ及び３３ｂ並びに貫通孔からなるロック機構が形成されている。【選択図】  図２
2008118758.tif 000002
【特許請求の範囲】
【請求項１】
複数本のケーブルの端末を回路結線した複数の結線部を収容して絶縁保護するジョイントボックスであって、
前記複数本のケーブルが挿入され、これらを整列させる複数のケーブル挿入孔が穿設されたケーブル挿入部と、前記ケーブル挿入部の中心に立設し、前記複数本のケーブルを固定させるためのケーブル固定部とを有するケーブルホルダーと、
上端が塞がれ、下端が開口し、前記複数の結線部を収容するボックスカバーとを有し、
前記ケーブルホルダーを構成する前記ケーブル挿入部の側面及び前記ボックスカバーの前記下端近傍には、ロック機構が形成されている
ことを特徴とするジョイントボックス。
【請求項２】
前記複数のケーブル挿入孔は、内面に平坦部を有し、前記ケーブル挿入部の中心に対して対称となるとともに、各前記平坦部が略角柱状を呈する前記ケーブル固定部の複数の側面のうちの対応する側面に平行となるように少なくとも１個穿設されている
ことを特徴とする請求項１に記載のジョイントボックス。
【請求項３】
請求項１又は２に記載のジョイントボックスと、
前記ジョイントボックスを構成する前記ケーブルホルダーの前記ケーブル挿入部に穿設された前記複数のケーブル挿入孔に挿入され、各端末が所定の経路同士となるように回路結線され、複数の結線部が形成された複数本のケーブルと、
前記複数本のケーブルのうち、前記ケーブルホルダーの上面側に突出した部分を束ねて締結することにより、前記複数本のケーブルを前記ケーブルホルダーの前記ケーブル固定部に固定させた結束部材とを備え、
前記ジョイントボックスを構成する前記ボックスカバーが被せられて前記複数の結線部が前記ボックスカバーに収容され、前記ロック機構がロックすることにより、前記複数の結線部が絶縁保護されている
ことを特徴とする配線用ユニットケーブル。
【発明の詳細な説明】
【技術分野】
【０００１】
本発明は、電気配線工事において、複数本のケーブルを回路結線した複数の結線部を収容して絶縁保護するジョイントボックス及びこのジョイントボックスを備えた配線用ユニットケーブルに関する。
【背景技術】
【０００２】
近年、居間や寝室などの部屋ごとにユニット化した部屋ユニットを住宅メーカーの工場で製造し、それらを施工現場で施主の希望や敷地形状に応じて組み付けることにより、一つの家屋を完成させるプレハブ住宅工法が知られている。このプレハブ住宅工法では、部屋ユニットごとの配線も予め工場内で行っており、ジョイントボックスを備えた配線用ユニットケーブルを用いて完成後の家屋で配線を行うことにより屋内配線作業の簡素化を達成することができる。
【０００３】
図５は、上記した従来の配線用ユニットケーブルの外観構成例を示す斜視図、図６は、図５に示す従来の配線用ユニットケーブルの断面図である。この例における配線用ユニットケーブルでは、６００Ｖビニル絶縁ビニルシース平型ケーブル（以下、「ＶＶＦケーブル」と略称する。）１が複数本並列され、各々絶縁体２で被覆された導線３の端末が圧着スリーブ４を介して接続され、回路結線がされた後、絶縁チューブ５により各圧着スリーブ４間の絶縁がなされている。以上説明した各導線３の端末、各圧着スリーブ４及び各絶縁チューブ５により各結線部６がそれぞれ構成されている。
【０００４】
回路結線された複数の結線部６は、略倒立角枡状を呈するジョイントボックス本体７内に収容された後、絶縁性を有するエポキシ樹脂等の熱硬化性樹脂８がジョイントボックス本体７内に充填され、熱硬化性樹脂８が硬化することにより、各ＶＶＦケーブル１に引張強度を持たせるとともに、各結線部６の保護と絶縁及び各結線部６のジョイントボックス本体７内部ヘの固定が行われている（例えば、特許文献１参照。）。以下、この技術を第１の従来例と呼ぶ。
【０００５】
また、従来の配線用ユニットケーブルには、各ケーブルの端末を結線して形成した結線部を、ジョイントボックス本体と、このジョイントボックス本体に対して一体又は別体状態で係合するジョイントボックスカバーとの内部に収容することにより、上記結線部を外部に対して保護するものがある。この種の配線用ユニットケーブルでは、上記ジョイントボックス本体に、小径の引出側収容部と、この引出側収容部に連続する大径の収容部とを設け、上記引出側収容部には、２つの貫通孔と、これらの貫通孔を介して上記ジョイントボックス本体に一体化しかつ上記ケーブルを略双曲線形状に束ねる結束部材とを設けている（例えば、特許文献２参照。）。以下、この技術を第２の従来例と呼ぶ。
【０００６】
【特許文献１】登録実用新案第３００５９１２号公報 （第２頁、第１図）
【特許文献２】特開２００５−８０４４６号公報（請求項１，［００１７］〜［００３８］、図１）
【発明の開示】
【発明が解決しようとする課題】
【０００７】
上記した第１の従来例では、熱硬化性樹脂８の硬化時間が必然的に発生して生産能力を向上させることができず、安価で短いリードタイムでの製造が難しいという問題がある。また、配線用ユニットケーブルの製品完成後に結線に誤りが発覚しても、各結線部６が樹脂モールドされているために修復が不可能であり、配線用ユニットケーブルを廃棄して新たに製造し直すしかないという問題がある。さらに、配線用ユニットケーブルの内部全体が樹脂モールドされているため、樹脂注入装置及びモールド用の熱硬化性樹脂８が必要となるとともに、配線用ユニットケーブル全体の重量が重くなり、取り扱い性に影響を来しているという問題もある。
【０００８】
また、上記した第２の従来例では、ジョイントボックス本体とジョイントボックスカバーとの内部に収容された結束部材と直接接触しない内部のケーブルの引張強度が低くなり、所定の強度を確保することができないという問題がある。
【０００９】
本発明は、上述した事情に鑑みてなされたものであり、上述のような課題を解決することができるジョイントボックス及び配線用ユニットケーブルを提供することを目的とする。
【課題を解決するための手段】
【００１０】
上記課題を解決するために、請求項１記載の発明に係るジョイントボックスは、複数本のケーブルの端末を回路結線した複数の結線部を収容して絶縁保護するジョイントボックスに係り、前記複数本のケーブルが挿入され、これらを整列させる複数のケーブル挿入孔が穿設されたケーブル挿入部と、前記ケーブル挿入部の中心に立設し、前記複数本のケーブルを固定させるためのケーブル固定部とを有するケーブルホルダーと、上端が塞がれ、下端が開口し、前記複数の結線部を収容するボックスカバーとを有し、前記ケーブルホルダーを構成する前記ケーブル挿入部の側面及び前記ボックスカバーの前記下端近傍には、ロック機構が形成されていることを特徴としている。
【００１１】
また、請求項２記載の発明は、請求項１に記載のジョイントボックスに係り、前記複数のケーブル挿入孔は、内面に平坦部を有し、前記ケーブル挿入部の中心に対して対称となるとともに、各前記平坦部が略角柱状を呈する前記ケーブル固定部の複数の側面のうちの対応する側面に平行となるように少なくとも１個穿設されていることを特徴としている。
【００１２】
また、請求項３記載の発明に係る配線用ユニットケーブルは、請求項１又は２に記載のジョイントボックスと、前記ジョイントボックスを構成する前記ケーブルホルダーの前記ケーブル挿入部に穿設された前記複数のケーブル挿入孔に挿入され、各端末が所定の経路同士となるように回路結線され、複数の結線部が形成された複数本のケーブルと、前記複数本のケーブルのうち、前記ケーブルホルダーの上面側に突出した部分を束ねて締結することにより、前記複数本のケーブルを前記ケーブルホルダーの前記ケーブル固定部に固定させた結束部材とを備え、前記ジョイントボックスを構成する前記ボックスカバーが被せられて前記複数の結線部が前記ボックスカバーに収容され、前記ロック機構がロックすることにより、前記複数の結線部が絶縁保護されていることを特徴としている。
【発明の効果】
【００１３】
本発明によれば、配線用ユニットケーブルの施工時の生産能力及び取り扱い性を向上させることができるとともに、良好な電気特性及び適度な機械強度を維持しつつ、配線用ユニットケーブルの軽量化、低価格化を図ることができる。
【発明を実施するための最良の形態】
【００１４】
実施の形態１．
図１は、本発明の実施の形態１に係るジョイントボックスを構成するボックスカバー１１の外観構成を示す斜視図、図２は、上記ジョイントボックスを構成するケーブルホルダー１２の外観構成を示す斜視図である。また、図３は、図２に示すケーブルホルダー１２にＶＶＦケーブル１４を組み付け及び結線した状態の外観構成を示す斜視図、図４は、本発明の実施の形態１に係る配線用ユニットケーブルの外観構成を示す斜視図である。
【００１５】
ジョイントボックスは、ボックスカバー１１と、ケーブルホルダー１２と、結束部材１３とから構成されている。図１に示すボックスカバー１１は、例えば、透明な合成樹脂からなる。ボックスカバー１１は、複数の結線部１６を収容し、保護する形状、寸法を有する収容部２１と、配線用ユニットケーブルを造営材や根太等の建物構造物に固定するためのボックス固定部２２と、収容部２１とボックス固定部２２とを連結する連結部２３とが一体に形成されて構成されている。
【００１６】
収容部２１は、上端２１ａが塞がれ、下端２１ｂが開口した略円筒状を呈している。収容部２１の正面下端２１ｂの近傍には、ケーブルホルダー１２が下端２１ｂから挿入された際にケーブルホルダー１２の周縁部に形成された突起部３３が嵌合する貫通孔２１ｃが穿設されている。貫通孔２１ｃは、略矩形状を呈している。
【００１７】
ボックス固定部２２は、略矩形板状を呈しており、収容部２１の外形直径と略同一幅を有している。ボックス固定部２２は、略矩形板状を呈する基部２２ａの上端から上側に突出する凸部２２ｂが基部２２ａと一体に形成されている。凸部２２ｂの略中央には、略円形状を呈する貫通孔２２ｂａが穿設されている。貫通孔２２ｂａは、配線用ユニットケーブルを根太等の建物構造物に固定する際に、例えば、ボルト等が挿入される。また、凸部２２ｂには、貫通孔２２ｂａを中心とした対称な位置に、貫通孔２２ｂｂ及び２２ｂｃがそれぞれ穿設されている。貫通孔２２ｂｂ及び２２ｂｃは、いずれも、略円形状を呈する円形貫通部と略Ｕ字状を呈するＵ字形貫通部とが円形貫通部の上部で連結している。貫通孔２２ｂｂ及び２２ｂｃは、配線用ユニットケーブルを造営材に取り付ける際に、例えば、結束部材が挿入される。
【００１８】
また、ボックス固定部２２は、基部２２ａの左右端の各略中央に、それぞれ外側に突出する凸部２２ｃ及び２２ｄが基部２２ａとそれぞれ一体に形成されている。凸部２２ｃ及び２２ｄの各略中央には、略円形状を呈する貫通孔２２ｃａ及び２２ｄａがそれぞれ穿設されている。貫通孔２２ｃａ及び２２ｄａは、配線用ユニットケーブルを根太等の建物構造物に固定する際に、例えば、ボルト等がそれぞれ挿入される。
【００１９】
また、凸部２２ｃには、貫通孔２２ｃａを中心とした対称な位置に、貫通孔２２ｃｂ及び２２ｃｃがそれぞれ穿設されている。同様に、凸部２２ｄには、貫通孔２２ｄａを中心とした対称な位置に、貫通孔２２ｄｂ及び２２ｄｃがそれぞれ穿設されている。貫通孔２２ｃｂ及び２２ｃｃは、いずれも、略円形状を呈する円形貫通部と略Ｕ字状を呈するＵ字形貫通部とが円形貫通部の右部で連結している。一方、貫通孔２２ｄｂ及び２２ｄｃは、いずれも、略円形状を呈する円形貫通部と略Ｕ字状を呈するＵ字形貫通部とが円形貫通部の左部で連結している。貫通孔２２ｃｂ及び２２ｃｃ並びに貫通孔２２ｄｂ及び２２ｄｃは、それぞれ配線用ユニットケーブルを造営材に取り付ける際に、例えば、結束部材が挿入される。
【００２０】
さらに、ボックス固定部２２の背面略中央には、いずれも略Ｕ字状を呈する溝２２ｅ及び２２ｆが互いに直交するように形成されている。ボックス固定部２２の基部２２ａの背面下端２２ａａの近傍には、貫通孔２１ｃと対称となる位置に、ケーブルホルダー１２が下端２１ｂから挿入された際にケーブルホルダー１２の周縁部に形成された突起部３３が嵌合する貫通孔２２ｇが穿設されている。貫通孔２２ｇは、略矩形状を呈している。なお、図１では、凸部２２ｄ、貫通孔２２ｄａ、貫通孔２２ｄｂ、貫通孔２２ｄｃ、溝２２ｅ、溝２２ｆ及び貫通孔２２ｇは、いずれも透視線で示している。
【００２１】
図２に示すケーブルホルダー１２は、例えば、透明な合成樹脂からなる。ケーブルホルダー１２は、複数本のＶＶＦケーブル１４を挿入し整列させるためのケーブル挿入部３１と、複数本のＶＶＦケーブル１４を結束部材１３によりこのケーブルホルダー１２に固定するためのケーブル固定部３２と、突起部３３ａ及び３３ｂとが一体に形成されて構成されている。なお、図２では、突起部３３ｂは示されていない。
【００２２】
ケーブル挿入部３１は、略円盤状を呈している。ケーブル挿入部３１の厚さ方向には、内面に平坦部を有して貫通してなる複数のケーブル挿入孔３１ａが穿設されている。複数のケーブル挿入孔３１ａは、ケーブル挿入部３１の中心を厚さ方向に通る直線を対称軸として対称となるとともに、各平坦部が略正六角柱状を呈するケーブル固定部３２の６つ側面３２ａ〜３２ｆのうちの対応する側面に平行となるように２個ずつ計１２個穿設されている。なお、図２では、計１２個のケーブル挿入孔３１ａのうち、１０個だけを示している。
【００２３】
ケーブル固定部３２は、上記したように、略正六角柱状を呈しており、ケーブル挿入部３１の略中心に立設されている。一方、ケーブル挿入部３１の側面３１ｂには、ケーブル挿入部３１の中心を厚さ方向に通る直線を対称軸として対称となるように、突起部３３ａ及び３３ｂが形成されている。突起部３３ａ及び３３ｂの断面は、いずれも、ケーブル挿入部３１の上縁３１ｃから下縁３１ｄに向かって、その断面の幅が徐々に大きくなる略直角三角形状を呈している。結束部材１３は、例えば、合成樹脂からなる。結束部材１３は、最大１２本のＶＶＦケーブル１４を結束して、ケーブル固定部３２に固定するために用いられる。
【００２４】
次に、上記構成のジョイントボックスを用いて、本実施の形態１に係る配線用ユニットケーブルを組み立てる方法について説明する。まず、結線すべき最大１２本のＶＶＦケーブル１４について、各端末のシース４１及び各絶縁心線４２のそれぞれの絶縁体４３を順次剥がして導体４４を露出させる（図３参照）。
【００２５】
次に、上記処理を施した各ＶＶＦケーブル１４を、ケーブルホルダー１２の各ケーブル挿入孔３１ａに、ケーブルホルダー１２の下面３１ｅ側から挿入する。そして、各ＶＶＦケーブル１４の端末をケーブル固定部３２の上面を超えて突出させた後、保持する。これにより、各ＶＶＦケーブル１４は、ケーブルホルダー１２内において、略垂直に整列する。即ち、ケーブルホルダー１２は、配線用ユニットケーブルを組み立てる際の各ＶＶＦケーブル１４を整列させるための治工具としての機能を有している。
【００２６】
次に、各絶縁心線４２の端末から露出したそれぞれの導体４４を所定の経路同士となるように電線コネクタ１５等を用いて回路結線することにより、複数の結線部１６を形成する。電線コネクタ１５は、絶縁性を有しており、他の電線コネクタ１５等に接触しても電気的な導通が得られないように形成されている。なお、電線コネクタ１５に換えて、絶縁性を有する既知の絶縁チューブ、圧着スリーブを用いても良い。
【００２７】
次に、図３に示すように、すべてのＶＶＦケーブル１４のうち、ケーブルホルダー１２の上面３１ｆ側に突出した部分を結束部材１３により束ねて締結することにより、ケーブルホルダー１２を構成するケーブル固定部３２に固定する。この際、結束部材１３は、ケーブル固定部３２の略中央部に対応する位置に保持する。これにより、すべてのＶＶＦケーブル１４に一定以上の均一な圧力が加えられ、結束部材１３の締結による圧力が一部のＶＶＦケーブル１４に集中することがない。これは、以下に示す理由による。
【００２８】
即ち、上記したように、ケーブル固定部３２は、略正六角柱状を呈しているとともに、複数のケーブル挿入孔３１ａがケーブル挿入部３１の中心を厚さ方向に通る直線を対称軸として対称であって、各平坦部が略正六角柱状を呈するケーブル固定部３２の６つ側面３２ａ〜３２ｆのうちの対応する側面に平行となるように２個ずつ計１２個穿設されている。従って、結束部材１３が形成する円の直径を小さくするように締め付けることにより、ケーブル挿入部３１の半径方向に隣接する２本のＶＶＦケーブル１４のそれぞれ平坦部が密着するとともに、内側に位置するＶＶＦケーブル１４の平坦部がケーブル固定部３２の対応する側面に密着する。この現象がすべてのＶＶＦケーブル１４について同時に行われる。これにより、すべてのＶＶＦケーブル１４に一定以上の均一な圧力が加えられ、結束部材１３の締結による圧力が一部のＶＶＦケーブル１４に集中することがないのである。
【００２９】
次に、図３に示すような状態にあるもの、即ち、ケーブルホルダー１２にＶＶＦケーブル１４を組み付け及び結線した後、結束部材１３でケーブル固定部３２に固定した状態にあるものを、図１に示すボックスカバー１１を構成する収容部２１の下端２１ｂの開口部から挿入し、ケーブルホルダー１２を構成する突起部３３ａをボックスカバー１１の貫通孔２１ｃに嵌合させるとともに、ケーブルホルダー１２を構成する突起部３３ｂをボックスカバー１１の貫通孔２２ｇに嵌合させる。これにより、図４に示すように、ボックスカバー１１を構成する収容部２１内に複数の結線部１６が収容され、絶縁保護され、配線用ユニットケーブルの組み立てが完成する。
【００３０】
上記したように、突起部３３ａ及び３３ｂの断面は、いずれも、ケーブル挿入部３１の上縁３１ｃから下縁３１ｄに向かって、その断面の幅が徐々に大きくなる略直角三角形状を呈している。従って、ＶＶＦケーブル１４を組み付け及び結線した後、結束部材１３でケーブル固定部３２に固定した状態にあるケーブルホルダー１２をボックスカバー１１に挿入する際には、小さな力で突起部３３ａ及び３３ｂがボックスカバー１１の貫通孔２１ｃ及び２２ｇにそれぞれ嵌合する。しかし、突起部３３ａ及び３３ｂがボックスカバー１１の貫通孔２１ｃ及び２２ｇにそれぞれ嵌合した後は、例えば、複数本のＶＶＦケーブル１４のいずれかに、図４に示すｘ方向に引っ張る力が加えられたとしても、突起部３３ａ及び３３ｂのそれぞれの下面がボックスカバー１１の対応する貫通孔２１ｃ及び２２ｇの下内壁に当接し、ケーブルホルダー１２の嵌合状態が解除されることはない。
【００３１】
ただし、配線用ユニットケーブルの製品完成後に結線に誤りが発覚した場合には、突起部３３ａ及び３３ｂのそれぞれの先端を、例えば、マイナスドライバー等で押圧しつつ、複数本のＶＶＦケーブル１４のいずれかに、図４に示すｘ方向に引っ張る力を加えることにより、ケーブルホルダー１２の嵌合状態を解除することができる。従って、誤配線の修復が可能であり、屋内配線を短時間で終了させることができる。
【００３２】
このように、本発明の実施の形態１によれば、複数本のＶＶＦケーブル１４をケーブルホルダー１２にセットした後、回路結線し、結束部材１３で組み付け及び結線し、結束部材１３で複数本のＶＶＦケーブル１４を締め付け、ケーブル固定部３２に固定した後、この状態にあるものをボックスカバー１１を構成する収容部２１に収容している。従って、従来の配線用ユニットケーブルと比べて、簡単、かつ、軽量な構成で、従来と同等の電気性能と適度な機械強度を持たせることができる。
【００３３】
また、本発明の実施の形態１によれば、配線用ユニットケーブルの組立時には、特別な治工具や特別な組立装置を使用する必要もなく、簡単に組み立てることができる。さらに、本発明の実施の形態１によれば、回路結線を行った後はボックスカバー１１を被せるだけであり、上記した第１の従来例のように熱硬化性樹脂８でモールドする必要はない。従って、生産能力を向上させることができ、安価で短いリードタイムでの製造がしやすいとともに、従来品よりも軽量になるため、施工時の取り扱い性が向上する。
【００３４】
さらに、本発明の実施の形態１によれば、点検のために透明な合成樹脂からなるボックスカバー１１の外側から目視した結果、配線用ユニットケーブルの製品完成後に結線に誤りが発覚した場合でも、突起部３３ａ及び３３ｂのそれぞれの先端を、例えば、マイナスドライバー等で押圧しつつ、複数本のＶＶＦケーブル１４のいずれかに、図４に示すｘ方向に引っ張る力を加えることにより、ケーブルホルダー１２の嵌合状態を解除することができる。従って、誤配線の修復が可能であり、上記した第１の従来例のように、配線用ユニットケーブルを廃棄して新たに製造し直す必要がないので、屋内配線を短時間で終了させることができる。
【００３５】
また、本発明の実施の形態１によれば、結束部材１３が形成する円の直径を小さくするように締め付けることにより、ケーブル挿入部３１の半径方向に隣接する２本のＶＶＦケーブル１４のそれぞれ平坦部が密着するとともに、内側に位置するＶＶＦケーブル１４の平坦部が略正六角柱状を呈するケーブル固定部３２の対応する側面に密着する。この現象がすべてのＶＶＦケーブル１４について同時に行われる。これにより、すべてのＶＶＦケーブル１４に一定以上の均一な圧力が加えられ、結束部材１３の締結による圧力が一部のＶＶＦケーブル１４に集中することがない。従って、すべてのＶＶＦケーブル１４について、所定の引張強度を確保することができる。
【００３６】
実施の形態２．
上述の実施の形態１では、ボックスカバー１１を構成する収容部２１が上端２１ａが塞がれ、下端２１ｂが開口した略円筒状を呈しているとともに、これに対応して、ケーブルホルダー１２がケーブル挿入部３１及び略正六角柱状を呈するケーブル固定部３２を有している例を示したが、これに限定されない。例えば、ボックスカバーを構成する収容部が上端が塞がれ、下端が開口した略倒立角枡状を呈していても良く、これに対応して、ケーブルホルダーが矩形板状を呈するケーブル挿入部及び略正四角柱状を呈するケーブル固定部を有していても良い。このように構成すれば、上述した実施の形態１と略同様の効果を得ることができる。
【００３７】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。
例えば、上述の実施の形態１では、ケーブルホルダー１２を構成するケーブル固定部３２が略正六角柱状を呈している例を示したが、これに限定されない。ケーブルホルダーを構成するケーブル固定部は、略正三角柱状、略正四角柱状、略正五角柱状のいずれの形状を呈していても良い。これに対応して、複数のケーブル挿入孔も、ケーブル挿入部の中心を厚さ方向に通る直線を対称軸として対称であって、各平坦部がケーブル固定部の各側面のうちの対応する側面に平行となるように少なくとも１個ずつ穿設する。
【００３８】
また、上述の各実施の形態では、ケーブルは、ＶＶＦケーブル１４である例を示したが、これに限定されない。ケーブルは、絶縁材からなるシースと、絶縁材からなる被覆と、導体とから構成されていれば、絶縁材及び導体の材質並びに心線の本数などはどのようなものでも良い。
また、上述の各実施の形態では、ケーブルホルダー１２は、ケーブル挿入部３１とケーブル固定部３２とが一体に形成されて構成されている例を示したが、これに限定されない。例えば、ケーブル挿入部とケーブル固定部とは別個に形成され、接着剤等により結合されて構成されていても良い。
また、上述の各実施の形態は、その目的及び構成等に特に矛盾や問題がない限り、互いの技術を流用することができる。
【図面の簡単な説明】
【００３９】
【図１】本発明の実施の形態１に係るジョイントボックスを構成するボックスカバーの外観構成を示す斜視図である。
【図２】本発明の実施の形態１に係るジョイントボックスを構成するケーブルホルダーの外観構成を示す斜視図である。
【図３】図２に示すケーブルホルダーにＶＶＦケーブルを組み付け及び結線した状態の外観構成を示す斜視図である。
【図４】本発明の実施の形態１に係る配線用ユニットケーブルの外観構成を示す斜視図である。
【図５】従来の配線用ユニットケーブルの外観構成例を示す斜視図である。
【図６】図５に示す従来の配線用ユニットケーブルの断面図である。
【符号の説明】
【００４０】
１１  ボックスカバー
１２  ケーブルホルダー
１３  結束部材
１４  ＶＶＦケーブル
１５  電線コネクタ
１６  結線部
２１  収容部
２１ａ  上端
２１ｂ  下端
２１ｃ，２２ｇ  貫通孔（ロック機構）
２２  ボックス固定部
２２ａ  基部
２２ａａ  下端
２２ｂ，２２ｃ，２２ｄ  凸部
２２ｂａ，２２ｂｂ，２２ｂｃ，２２ｃａ，２２ｃｂ，２２ｃｃ，２２ｄａ，２２ｄｂ，２２ｄｃ  貫通孔
２２ｅ，２２ｆ  溝
２３  連結部
３１  ケーブル挿入部
３１ａ  ケーブル挿入孔
３１ｂ，３２ａ〜３２ｆ  側面
３１ｃ  上縁
３１ｄ  下縁
３１ｅ  下面
３１ｆ  上面
３２  ケーブル固定部
３３ａ，３３ｂ  突起部（ロック機構）
４１  シース
４２  絶縁心線
４３  絶縁体
４４  導体
【図１】
2008118758.tif 000003
【図２】
2008118758.tif 000004
【図３】
2008118758.tif 000005
【図４】
2008118758.tif 000006
【図５】
2008118758.tif 000007
【図６】
2008118758.tif 000008